(57)【要約】【課題】縦横同時に延長できる歯槽骨延長器を提供する。【解決手段】固定用プレートに歯槽骨土台を、移動骨片固定プレートに剥離された移動骨片を各々固定する。シリンダーに挿入された横延長用スクリューを回すと移動骨片の穴を通して歯槽骨土台が押され、移動骨片と乖離することにより横方向の骨延長を行う。横延長終了後、縦延長用シャフトを回転させ、移動骨片を縦方向に延長させる構造の縦横同時延長器を提供する。縦延長用シャフトをあらゆる位置から回転させることが可能な形状の縦延長用スパナを提供する。【選択図】        図１
2004173708.tif 000002
【特許請求の範囲】
【請求項１】
人工歯根を埋め込む際、歯槽骨が薄く埋め込み不可能な場合に骨延長を行い、骨を厚くする器具であり、移動骨片固定プレート、横延長用スクリュー、縦延長用シャフト、中空ロッド、固定用プレート、固定用スクリューから構成され、固定用プレートを固定用スクリューで歯槽骨土台に固定し、中空ロッドと固定用プレートはヒンジで接続され、移動骨片固定プレートに固定用スクリューで剥離された移動骨片を固定し、移動骨片固定プレート中央部は縦延長用シャフトが貫通し、空回りするよう中空構造となっており、縦延長用シャフト上には移動骨片固定プレートが上下に動かないようストッパーが付いており、移動骨片固定プレート中空部分の両翼中央部からは横延長用スクリューを通すシリンダーが煙突状に立ち上がっており、シリンダーの内側はネジ切りが施され、シリンダーに挿入された横延長用スクリューを回すと移動骨片の穴を通して歯槽骨土台が押され、移動骨片と乖離することにより横方向の骨延長を行い、横延長終了後、縦延長用シャフトを回転させ、中空ロッド内側にはねじ切りが施してあり、移動骨片を縦方向に延長させることが可能な縦横同時歯槽骨延長器。
【請求項２】
上記歯槽骨延長器により縦方向延長を行う際に使用するスパナであり、マイナス突起状に削り出された縦延長用シャフト先端に差し込めるようグリップ両端にプラス穴が開いており、プラス穴の角度は互いに４５度ずれており、グリップは端部からやや中央部よりで直角に曲がっており、縦延長用シャフトをあらゆる角度から回転させることが可能な形状の縦延長用スパナ。
【発明の詳細な説明】
【０００１】
【発明が属する技術分野】
本発明は、人工歯根を埋め込む際、歯槽骨が薄く埋め込み不可能な場合に骨延長を行い、骨を厚くする歯槽骨延長器に関するものである。
【０００２】
【従来の技術】
当社は特願２００２−３３９３３９において、横（厚み）方向を延長することが可能な器具を提案しているが、縦（高さ）方向に骨延長ができない。
【０００３】
【発明が解決しようとする課題】
人工歯根をインプラントしようとしても土台である歯槽骨が薄く、埋め込むスペースがない患者が多い。このような患者は従来人工歯根の装着をあきらめざるを得なかった。また横方向に延長ができても、縦方向に十分な骨量が確保できていない患者も多く、縦横同時延長が可能な器具が望まれていた。
【０００４】
【課題を解決するための手段】
本発明は、骨同士を密着状態から日々少しずつ引き離すと骨同士の間に新生骨が形成される特性を利用している。移動骨片固定プレート、横延長用スクリュー、縦延長用シャフト、中空ロッド、固定用プレート、固定用スクリューから構成され、固定用プレートを固定用スクリューで歯槽骨土台に固定し、中空ロッドと固定用プレートはヒンジで接続され、移動骨片固定プレートに固定用スクリューで剥離された移動骨片を固定する。移動骨片固定プレート中央部は縦延長用シャフトが貫通し、空回りするよう中空構造となっており、縦延長用シャフト上には移動骨片固定プレートが上下に動かないようストッパーが付いており、移動骨片固定プレート中空部分の両翼中央部からは横延長用スクリューを通すシリンダーが煙突状に立ち上がっており、シリンダーの内側はネジ切りが施され、シリンダーに挿入された横延長用スクリューを回すと移動骨片の穴を通して歯槽骨土台が押され、移動骨片と乖離することにより横方向の骨延長を行う。横延長終了後、縦延長用シャフトを回転させ、中空ロッド内側にはねじ切りが施してあり、移動骨片を縦方向に延長させる構造とした。
【０００５】
上記歯槽骨延長器により縦方向延長を行う際に使用するスパナであり、マイナス突起状に削り出された縦延長用シャフト先端に差し込めるようグリップ両端にプラス穴が開いている。プラス穴の角度は互いに４５度ずれており、グリップは端部からやや中央部よりで直角に曲がっており、縦延長用シャフトをあらゆる位置から回転させることが可能な形状の縦延長用スパナとした。
【０００６】
【発明の実施の形態】
図１は、当該発明の実施の形態を例示している。純チタン製薄型固定用プレート１を固定用スクリュー２ａで歯槽骨土台に固定する。歯槽骨の表面状況に応じて固定箇所及び本数は適宜変える。固定用スクリュー２ａはチタン製でもよいが、ポリ乳酸又はポリグリコール酸等の吸収性素材を用いるとプレート抜去の際容易である。移動骨片固定プレート３に固定用スクリュー２ｂで移動骨片４を固定する。同様に吸収性素材を用いてもよい。移動骨片固定プレート３中央部は縦延長用シャフト５が貫通し、空回りするよう中空構造となっており、縦延長用シャフト５上には移動骨片固定プレート３が上下に動かないようストッパー９ａ，９ｂが付いており、移動骨片固定プレート３中空部分の両翼中央部からは横延長用スクリュー６ａ，６ｂを通すシリンダー７ａ、７ｂが煙突状に立ち上がっている。シリンダー７ａ、７ｂの内側はネジ切りが施され、シリンダー７ａ、７ｂに挿入された横延長用スクリュー６ａ、６ｂを回すと移動骨片４の穴を通して歯槽骨土台８が押され、移動骨片４と乖離することにより横方向の骨延長を行う構造となっている。横延長用スクリュー６ａ、６ｂの先端は鈍加工が施してあり、スクリューを回しても先端が歯槽骨土台８に食い込まずに確実に骨延長が可能である。柔らかい樹脂キャップを被せるか、空回りの回転式としてもよい。横延長用スクリュー６ａ、６ｂのネジ切りピッチは一回転させると一日の必要量を延長させるよう設定されている。横延長終了後、縦延長用シャフト５を回転させると移動骨片固定プレート３の中空部分は空回りし、中空ロッド１０内側のネジ切り構造によって固定された移動骨片４がせり上がってくる。歯槽骨延長後、保定期間を経て各々のプレートは取り外され、同時に人工歯根の埋め込み手術を行うこととなる。移動骨片固定プレート３及び固定用プレート１部分の加工に関しては、薄さと穴精度を同時に確保するため、まず厚板にドリルで穴を開け、シリンダー部分の高さを残してフライス盤で削り出す製造方法としている。
【０００７】
図２は請求項２に係る縦延長用スパナを示している。あらゆる方向からのアプローチが可能であり、プレス加工のみで製造が可能なため、安価である。
【０００８】
【発明の効果】
以上説明したように本発明は、人工歯根を埋め込む際、歯槽骨が薄く埋め込み不可能な場合に骨延長を行い、骨を厚くすることが可能となる。横方向のみならず、縦方向にも同時延長が可能なため、適応が広がり、より多くの患者に対して人工歯根のインプラント術を施行することが可能である。
【図面の簡単な説明】
【図１】歯槽骨延長器の外観図である。
【図２】縦延長用スパナの外観図である。
【符号の説明】
１    固定用プレート
２ａ、２ｂ  固定用スクリュー
３    移動骨片固定プレート
４    移動骨片
５    縦延長用シャフト
６ａ、６ｂ  横延長用スクリュー
７ａ、７ｂ  シリンダー
８    歯槽骨土台
９ａ、９ｂ  ストッパー
１０  中空ロッド
【図１】
2004173708.tif 000003
【図２】
2004173708.tif 000004
【手続補正書】
【提出日】平成15年2月28日(2003.2.28)
【手続補正１】
【補正対象書類名】明細書
【補正対象項目名】発明の詳細な説明
【補正方法】変更
【補正の内容】
【発明の詳細な説明】
【０００１】
【発明が属する技術分野】
本発明は、人工歯根を埋め込む際、歯槽骨が薄く埋め込み不可能な場合に骨延長を行い、骨を厚くする歯槽骨延長器に関するものである。
【０００２】
【従来の技術】
頭蓋骨、顎骨を延長する器具は以下のように提案されているが（例えば特許文献１、２、３及び４参照）、歯槽骨を縦延長する器具は前例がない。
当社は横（厚み）方向を延長することが可能な器具を提案しているが、縦（高さ）方向に骨延長ができない（未公開特許出願１参照）。
【０００３】
【特許文献１】
特開平１０−４３２０３号公報
【特許文献２】
特開平１１−２６２４９１号公報
【特許文献３】
特開２０００−３１６８９１号公報
【特許文献４】
特開２００２−２６３１２８号公報
【未公開特許出願１】
特願２００２−３３９３３９
【０００４】
【発明が解決しようとする課題】
人工歯根をインプラントしようとしても土台である歯槽骨が薄く、埋め込むスペースがない患者が多い。このような患者は従来人工歯根の装着をあきらめざるを得なかった。また横方向に延長ができても、縦方向に十分な骨量が確保できていない患者も多く、縦横同時延長が可能な器具が望まれていた。
【０００５】
【課題を解決するための手段】
本発明は、骨同士を密着状態から日々少しずつ引き離すと骨同士の間に新生骨が形成される特性を利用している。移動骨片固定プレート、横延長用スクリュー、縦延長用シャフト、中空ロッド、固定用プレート、固定用スクリューから構成され、固定用プレートを固定用スクリューで歯槽骨土台に固定し、中空ロッドと固定用プレートはヒンジで接続され、移動骨片固定プレートに固定用スクリューで剥離された移動骨片を固定する。移動骨片固定プレート中央部は縦延長用シャフトが貫通し、空回りするよう中空構造となっており、縦延長用シャフト上には移動骨片固定プレートが上下に動かないようストッパーが付いており、移動骨片固定プレート中空部分の両翼中央部からは横延長用スクリューを通すシリンダーが煙突状に立ち上がっており、シリンダーの内側はネジ切りが施され、シリンダーに挿入された横延長用スクリューを回すと移動骨片の穴を通して歯槽骨土台が押され、移動骨片と乖離することにより横方向の骨延長を行う。横延長終了後、縦延長用シャフトを回転させ、中空ロッド内側にはねじ切りが施してあり、移動骨片を縦方向に延長させる構造とした。
【０００６】
上記歯槽骨延長器により縦方向延長を行う際に使用するスパナであり、マイナス突起状に削り出された縦延長用シャフト先端に差し込めるようグリップ両端にプラス穴が開いている。プラス穴の角度は互いに４５度ずれており、グリップは端部からやや中央部よりで直角に曲がっており、縦延長用シャフトをあらゆる位置から回転させることが可能な形状の縦延長用スパナとした。
【０００７】
【発明の実施の形態】
図１は、当該発明の実施の形態を例示している。純チタン製薄型固定用プレート１を固定用スクリュー２ａで歯槽骨土台に固定する。歯槽骨の表面状況に応じて固定箇所及び本数は適宜変える。固定用スクリュー２ａはチタン製でもよいが、ポリ乳酸又はポリグリコール酸等の吸収性素材を用いるとプレート抜去の際容易である。移動骨片固定プレート３に固定用スクリュー２ｂで移動骨片４を固定する。同様に吸収性素材を用いてもよい。移動骨片固定プレート３中央部は縦延長用シャフト５が貫通し、空回りするよう中空構造となっており、縦延長用シャフト５上には移動骨片固定プレート３が上下に動かないようストッパー９ａ，９ｂが付いており、移動骨片固定プレート３中空部分の両翼中央部からは横延長用スクリュー６ａ，６ｂを通すシリンダー７ａ、７ｂが煙突状に立ち上がっている。シリンダー７ａ、７ｂの内側はネジ切りが施され、シリンダー７ａ、７ｂに挿入された横延長用スクリュー６ａ、６ｂを回すと移動骨片４の穴を通して歯槽骨土台８が押され、移動骨片４と乖離することにより横方向の骨延長を行う構造となっている。横延長用スクリュー６ａ、６ｂの先端は鈍加工が施してあり、スクリューを回しても先端が歯槽骨土台８に食い込まずに確実に骨延長が可能である。柔らかい樹脂キャップを被せるか、空回りの回転式としてもよい。横延長用スクリュー６ａ、６ｂのネジ切りピッチは一回転させると一日の必要量を延長させるよう設定されている。横延長終了後、縦延長用シャフト５を回転させると移動骨片固定プレート３の中空部分は空回りし、中空ロッド１０内側のネジ切り構造によって固定された移動骨片４がせり上がってくる。歯槽骨延長後、保定期間を経て各々のプレートは取り外され、同時に人工歯根の埋め込み手術を行うこととなる。移動骨片固定プレート３及び固定用プレート１部分の加工に関しては、薄さと穴精度を同時に確保するため、まず厚板にドリルで穴を開け、シリンダー部分の高さを残してフライス盤で削り出す製造方法としている。
【０００８】
図２は請求項２に係る縦延長用スパナを示している。あらゆる方向からのアプローチが可能であり、プレス加工のみで製造が可能なため、安価である。
【０００９】
【発明の効果】
以上説明したように本発明は、人工歯根を埋め込む際、歯槽骨が薄く埋め込み不可能な場合に骨延長を行い、骨を厚くすることが可能となる。横方向のみならず、縦方向にも同時延長が可能なため、適応が広がり、より多くの患者に対して人工歯根のインプラント術を施行することが可能である。




【手続補正書】
【提出日】平成15年7月16日(2003.7.16)
【手続補正１】
【補正対象書類名】図面
【補正対象項目名】全図
【補正方法】変更
【補正の内容】
【図１】
2004173708.tif 000005
【図２】
2004173708.tif 000006